(57)【特許請求の範囲】
【請求項１】
計測装置と、
前記計測装置と通信する情報機器と、を備え、
前記計測装置は、
生体情報を計測する生体情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報とを前記情報機器に送信する送信部と、を備え、
前記情報機器は、
位置情報を計測する位置情報計測手段と、
前記計測装置から送信された前記計測時刻情報および前記生体情報の少なくともいずれかに対して、コメントおよび感情を表す画像の少なくともいずれかの設定情報を設定可能な画面を表示する表示手段と、
前記計測時刻情報、前記生体情報、前記計測時刻情報に対応する前記位置情報、および、前記設定情報を関連付けて記憶する情報機器側記憶手段と、を備える
ことを特徴とする計測情報管理システム。
【請求項２】
請求項１に記載の計測情報管理システムにおいて、
前記生体情報は、脈拍数である
ことを特徴とする計測情報管理システム。
【請求項３】
請求項２に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項４】
請求項１から請求項３のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項５】
請求項１から請求項４のいずれか一項に記載の計測情報管理システムにおいて、
前記情報機器と通信するサーバーを備え、
前記情報機器は、前記情報機器側記憶手段に記憶された前記計測時刻情報および前記位置情報を、前記サーバーに送信する情報機器側送信部を備え、
前記サーバーは、前記情報機器から送信された前記計測時刻情報および前記位置情報を記憶するサーバー側記憶手段を備える
ことを特徴とする計測情報管理システム。
【請求項６】
計測装置と、
前記計測装置と通信する情報機器と、を備え、
前記計測装置は、
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報および前記位置情報とを含む送信情報を前記情報機器に送信する送信部と、を備え、
前記情報機器は、
前記計測装置から送信された前記送信情報に含まれる前記計測時刻情報および前記生体情報の少なくともいずれかに対して、コメントおよび感情を表す画像の少なくともいずれかの設定情報を設定可能な画面を表示する表示手段と、
前記送信情報と前記設定情報とを関連付けて記憶する情報機器側記憶手段と、を備える
ことを特徴とする計測情報管理システム。
【請求項７】
請求項６に記載の計測情報管理システムにおいて、
前記生体情報は、脈拍数である
ことを特徴とする計測情報管理システム。
【請求項８】
請求項７に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項９】
請求項６から請求項８のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項１０】
請求項６から請求項９のいずれか一項に記載の計測情報管理システムにおいて、
前記情報機器と通信するサーバーを備え、
前記情報機器は、前記計測時刻情報および前記位置情報を、前記サーバーに送信する情報機器側送信部を備え、
前記サーバーは、前記情報機器から送信された前記計測時刻情報および前記位置情報を記憶するサーバー側記憶手段を備える
ことを特徴とする計測情報管理システム。
【請求項１１】
計測装置と、
情報機器と、
サーバーと、を備え、
前記計測装置は、
生体情報を計測する生体情報計測手段と、
位置情報を計測する位置情報計測手段と、
前記生体情報が所定の生体情報条件に該当するかを判定する生体情報判定部と、
前記生体情報が前記所定の生体情報条件に該当すると判定された場合、前記生体情報が計測された計測時刻に対応する計測時刻情報を記憶する計測装置側記憶手段と、
前記計測時刻情報と、当該計測時刻情報に対応する前記生体情報および前記位置情報とを含む送信情報を前記サーバーに送信する送信部と、を備え、
前記サーバーは、
前記送信情報を記憶するサーバー側記憶手段と、
前記情報機器の要求に基づき前記送信情報を提供するサーバー側通信部と、を備え、
前記情報機器は、
前記送信情報に含まれる前記計測時刻情報および前記生体情報の少なくともいずれかに対して、コメントおよび感情を表す画像の少なくともいずれかの設定情報を設定可能な画面を表示する表示手段と、
前記送信情報と前記設定情報とを関連付けて記憶する情報機器側記憶手段と、を備える
ことを特徴とする計測情報管理システム。
【請求項１２】
請求項１１に記載の計測情報管理システムにおいて、
前記生体情報は、脈拍数である
ことを特徴とする計測情報管理システム。
【請求項１３】
請求項１２に記載の計測情報管理システムにおいて、
前記計測装置側記憶手段は、前記生体情報判定部で脈拍数が所定の閾値以上であると判定された場合、前記計測時刻情報を記憶する
ことを特徴とする計測情報管理システム。
【請求項１４】
請求項１１から請求項１３のいずれか一項に記載の計測情報管理システムにおいて、
前記計測装置は、
運動情報を計測する運動情報計測手段と、
前記運動情報が所定の運動情報条件に該当するかを判定する運動情報判定部と、を備え、
前記計測装置側記憶手段は、前記運動情報が前記所定の運動情報条件に該当し、かつ、前記生体情報が前記所定の生体情報条件に該当すると判定された場合、前記計測時刻情報を記憶する
ことを特徴とする計測情報管理システム。
【請求項１５】
外部から生体情報を含む情報を受信する情報受信部と、
受信された前記生体情報および前記生体情報の計測時刻を示す時刻情報の少なくともいずれかに対して、コメントおよび感情を表す画像の少なくともいずれかの設定情報を設定可能な画面を表示する表示手段と、
位置情報を計測する位置情報計測手段と、
前記生体情報、前記時刻情報、前記位置情報、および、前記設定情報を関連付けて記憶する情報機器側記憶手段と、を備え、
前記表示手段は、前記生体情報および前記時刻情報と対応付けられた前記位置情報を、前記表示手段に表示される地図上にマーカーを配置することによって表示する
ことを特徴とする情報機器。
【請求項１６】
外部から生体情報および位置情報を受信する情報受信部と、
受信された前記生体情報および前記生体情報の計測時刻を示す時刻情報の少なくともいずれかに対して、コメントおよび感情を表す画像の少なくともいずれかの設定情報を設定可能な画面を表示する表示手段と、
前記生体情報、前記時刻情報、前記位置情報、および、前記設定情報を関連付けて記憶する情報機器側記憶手段と、を備え、
前記表示手段は、前記生体情報および前記時刻情報と対応付けられた前記位置情報を、前記表示手段に表示される地図上にマーカーを配置することによって表示する
ことを特徴とする情報機器。
【請求項１７】
請求項１５または請求項１６に記載の情報機器において、
前記生体情報は、脈拍数である
ことを特徴とする情報機器。
【請求項１８】
請求項１５から請求項１７のいずれか一項に記載の情報機器において、
前記生体情報の状態により、前記マーカーの色が異なる
ことを特徴とする情報機器。
【請求項１９】
計測装置側記憶手段と、生体情報を計測する生体情報計測手段とを備える計測装置と、
前記計測装置と通信し、情報機器側記憶手段と、位置情報を計測する位置情報計測手段とを備える情報機器とを有する計測情報管理システムの計測情報管理方法であって、
前記生体情報が所定の生体情報条件に該当するかを判定する生体情報判定ステップと、
前記生体情報が前記所定の生体情報条件に該当すると判定された場合、前記生体情報が計測された計測時刻に対応する計測時刻情報を前記計測装置側記憶手段に記憶させる記憶制御ステップと、
前記計測時刻情報と、当該計測時刻情報に対応する前記生体情報とを前記情報機器に送信する送信ステップと、
前記計測装置から送信された前記計測時刻情報および前記生体情報の少なくともいずれかに対して、コメントおよび感情を表す画像の少なくともいずれかの設定情報を設定可能な画面を表示する表示ステップと、
前記計測時刻情報、前記生体情報、前記計測時刻情報に対応する前記位置情報、および、前記設定情報を関連付けて前記情報機器側記憶手段に記憶させる情報機器側記憶制御ステップと、を含む
ことを特徴とする計測情報管理方法。
【請求項２０】
請求項１９に記載の計測情報管理方法において、
前記生体情報は、脈拍数である
ことを特徴とする計測情報管理方法。
【請求項２１】
請求項２０に記載の計測情報管理方法において、
前記生体情報判定ステップで脈拍数が所定の閾値以上であると判定された場合、前記計測時刻情報を前記計測装置側記憶手段に記憶させる
ことを特徴とする計測情報管理方法。
【請求項２２】
請求項１９から請求項２１のいずれか一項に記載の計測情報管理方法において、
前記計測装置は、運動情報を計測する運動情報計測手段を備え、
前記運動情報が所定の運動情報条件に該当するかを判定する運動情報判定ステップを備え、
前記記憶制御ステップは、前記運動情報が前記所定の運動情報条件に該当し、かつ、前記生体情報が前記所定の生体情報条件に該当すると判定された場合、前記計測時刻情報を前記計測装置側記憶手段に記憶させる
ことを特徴とする計測情報管理方法。
【請求項２３】
計測装置と通信し、情報機器側記憶手段と、表示手段と、位置情報を計測する位置情報計測手段とを備える情報機器により実行される計測情報管理プログラムであって、
前記計測装置が計測した生体情報が所定の生体情報条件に該当した場合の、前記生体情報が計測された計測時刻を示す計測時刻情報と、前記計測時刻情報に対応する前記生体情報とを、前記計測装置から受信する受信ステップと、
受信された前記計測時刻情報および前記生体情報の少なくともいずれかに対して、コメントおよび感情を表す画像の少なくともいずれかの設定情報を設定可能な画面を表示する表示ステップと、
前記計測時刻情報、前記生体情報、前記計測時刻情報に対応する位置情報、および、前記設定情報を関連付けて前記情報機器側記憶手段に記憶させる情報機器側記憶制御ステップと、を含む
ことを特徴とする計測情報管理プログラム。
【請求項２４】
請求項２３に記載の計測情報管理プログラムにおいて、
前記生体情報は、脈拍数である
ことを特徴とする計測情報管理プログラム。
【請求項２５】
請求項２３または請求項２４に記載の計測情報管理プログラムにおいて、
前記生体情報および前記計測時刻情報と対応付けられた前記位置情報を、前記表示手段に表示される地図上にマーカーを配置することによって表示させる表示制御ステップを含む
ことを特徴とする計測情報管理プログラム。
【請求項２６】
請求項２５に記載の計測情報管理プログラムにおいて、
前記生体情報の状態により、前記マーカーを異なる色で表示させる
ことを特徴とする計測情報管理プログラム。
【発明の詳細な説明】
【技術分野】
【０００１】
本発明は、生体情報を計測する計測情報管理システム、情報機器、計測情報管理方法、および計測情報管理プログラムに関する。
【背景技術】
【０００２】
従来、使用者に所持され、使用者の脈拍数等の生体情報を計測する計測装置が知られている（例えば、特許文献１参照）。
特許文献１の生体運動情報検出表示装置は、使用者の脈拍数等の生体情報、運動情報、食事情報を取得し、取得した情報に基づいて使用者の状態を判定する。そして、判定結果に基づいて表示用キャラクターを決定し、決定した表示用キャラクターを表示手段に表示している。
【先行技術文献】
【特許文献】
【０００３】
【特許文献１】特開２０１２−７５４８９号公報
【発明の概要】
【発明が解決しようとする課題】
【０００４】
ところで、近年、特許文献１の生体運動情報検出表示装置のような、使用者の生体情報を取得する計測装置を用いて、人の感情を情報化し、この情報を個人や企業の活動に利用することが求められている。
【０００５】
本発明の目的は、計測した生体情報を個人や企業が利用できる計測情報管理システム、情報機器、計測情報管理方法、および計測情報管理プログラムを提供することにある。
【課題を解決するための手段】
【０００６】
本発明は、計測装置、および、前記計測装置と通信する情報機器を備える計測情報管理システムであって、前記計測装置は、記憶手段と、時刻を計時する計時部と、生体情報を計測する生体情報計測手段と、前記生体情報が所定の生体情報条件に該当するかを判定する生体情報判定部と、前記生体情報判定部で生体情報が前記所定の生体情報条件に該当すると判定された場合、生体情報が計測された計測時刻に対応する計測時刻情報を前記記憶手段に記憶させる記憶制御部と、前記計測時刻情報と、当該計測時刻情報に対応する前記生体情報とを前記情報機器に送信する送信部と、を備え、前記情報機器は、情報機器側記憶手段と、表示手段と、位置情報を計測する位置情報計測手段と、前記計測装置から送信された計測時刻情報、および、当該計測時刻情報に対応する位置情報を、前記情報機器側記憶手段に記憶させる情報機器側記憶制御部と、前記情報機器側記憶手段に記憶された計測時刻情報および位置情報の少なくとも１つに関する情報を、前記表示手段に表示する表示制御部と、を備えることを特徴とする。
【０００７】
本発明によれば、生体情報判定部は、生体情報計測手段が計測した生体情報が所定の生体情報条件に該当するかを判定する。そして、生体情報判定部で生体情報が所定の生体情報条件に該当すると判定された場合、記憶制御部は、生体情報が計測された計測時刻に対応する計測時刻情報を記憶手段に記憶させる。計測時刻に対応する計測時刻情報は、通常、計測時刻を示す時分秒の情報であるが、秒を省略した時分のみの情報でもよいし、分秒を省略した時のみの情報（正時）でもよい。また、時分秒の情報の場合に、秒を例えば５秒間隔や１０秒間隔、３０秒間隔などに変更して計測時刻情報としてもよいし、時分の情報の場合に、分を５分間隔等に変更して計測時刻情報としてもよい。
そして、送信部は、前記計測時刻情報と当該計測時刻情報に対応する生体情報とを情報機器に送信する。
ここで、生体情報は、例えば、脈拍数、心拍数、脳波、血圧、皮膚電気反応等である。そして、これらの生体情報は感情に応じて変動するため、生体情報に基づいて感情を判定できる。
本発明によれば、所定の生体情報条件を、イベントが発生したことを判定するための条件、例えば、使用者が興奮状態にあるかを判定するための条件とすることで、使用者が興奮状態にある場合の計測時刻情報が、記憶制御部によって記憶手段に記憶され、さらに、送信部によって情報機器に送信される。興奮状態には、例えば、興味が湧いて興奮した状態、感動して興奮した状態、恐怖を感じて興奮した状態等が含まれる。
【０００８】
そして、情報機器では、情報機器側記憶制御部は、計測装置から送信された計測時刻情報、および、当該計測時刻情報に対応する情報機器の現在地の位置情報を、情報機器側記憶手段に記憶させる。計測時刻情報に対応する位置情報は、通常、計測時刻情報で示される計測時刻と同じ時刻に位置情報計測手段で計測された位置情報を用いればよいが、同じ時刻に計測された位置情報が存在しない場合等には、計測時刻情報で示される計測時刻に最も近い時刻や計測時刻から一定時間範囲の時刻に位置情報計測手段で計測された位置情報を用いてもよい。ここで、情報機器は使用者に携帯されて使用されるため、情報機器の現在地の位置情報を計測することで、使用者の現在地の位置情報を計測できる。そして、表示制御部は、情報機器側記憶手段に記憶された計測時刻情報および位置情報の少なくとも１つに関する情報を、表示手段に表示する。
このため、使用者は、情報機器の表示手段を閲覧することで、例えば、興奮状態にあった時刻や場所を確認できる。これにより、使用者は、これらの時刻や場所における行動を思い起こすことで、例えば、興奮させる効果のあるものを知ることができる。そして、この情報を参考にすることで、使用者は、例えば、そのときの気分に合わせた行動計画を立てることができる。また、興奮した場所を確認することで、楽しかった場所等を容易に思い出すことができ、これらの場所を巡るような計画を立てることもできる。
【０００９】
本発明の計測情報管理システムにおいて、前記生体情報は、脈拍数であり、前記生体情報判定部は、前記脈拍数が所定の閾値以上かを判定し、前記記憶制御部は、前記生体情報判定部で脈拍数が前記所定の閾値以上であると判定された場合、計測時刻情報を前記記憶手段に記憶させることが好ましい。
【００１０】
本発明によれば、所定の閾値を、使用者の脈拍数が平常よりも高いと判定できる基準値に設定することで、使用者が興奮状態にある場合に、脈拍数が所定の閾値以上と判定され、計測時刻情報が記憶手段に記憶される。所定の閾値は、例えば、７０回／分（７０ｂｐｍ）に設定される。
これにより、使用者が興奮状態にあるときの計測時刻情報を、複雑な処理を行うことなく記憶手段に記憶させることができる。このため、計測装置の処理負荷を低減でき、消費電力も低減できる。特に、計測装置が、小型で電池駆動するような装置の場合には、この効果を顕著に得ることができる。
【００１１】
本発明の計測情報管理システムにおいて、前記計測装置は、運動情報を計測する運動情報計測手段と、前記運動情報が所定の運動情報条件に該当するかを判定する運動情報判定部と、を備え、前記記憶制御部は、前記運動情報判定部で運動情報が前記所定の運動情報条件に該当し、かつ、前記生体情報判定部で生体情報が前記所定の生体情報条件に該当すると判定された場合、計測時刻情報を前記記憶手段に記憶させることが好ましい。
【００１２】
運動情報は、例えば、加速度、角速度、振動等である。
本発明によれば、所定の運動情報条件を、使用者が平常な活動状態（運動状態ではない状態）にあるかを判定するための条件に設定することで、使用者が平常な活動状態にあり、かつ、生体情報が所定の生体情報条件に該当すると判定された場合、計測時刻情報が記憶手段に記憶される。
ここで、運動状態と興奮状態とでは、いずれも平常時の生体情報とは異なる値となるため、これらの状態を生体情報のみで判定することは難しい。しかしながら、本発明によれば、使用者が運動状態にある場合には、生体情報が所定の生体情報条件に該当していても、計測時刻情報は記憶手段に記憶されないため、使用者が運動状態にある場合に、興奮状態にあると間違って判定されて計測時刻情報が記憶手段に記憶されることを防止できる。すなわち、使用者が興奮状態にあった時刻を精度よく判定して情報機器に送信できる。
【００１３】
本発明の計測情報管理システムにおいて、前記情報機器と通信するサーバーを備え、前記情報機器は、前記情報機器側記憶手段に記憶された計測時刻情報および位置情報を、前記サーバーに送信する情報機器側送信部を備え、前記サーバーは、サーバー側記憶手段と、前記情報機器から送信された計測時刻情報および位置情報を前記サーバー側記憶手段に記憶させるサーバー側記憶制御部と、を備えることが好ましい。
【００１４】
本発明によれば、例えば、情報の閲覧権限を持つ他人が、サーバーにアクセスすることで、サーバー側記憶手段に記憶された計測時刻情報および位置情報を閲覧することもできる。これにより、使用者は、これらの情報を、閲覧権限を持つ他人と共有できる。
また、本発明によれば、サーバー側記憶手段に記憶された計測時刻情報および位置情報を分析することで、次のような効果を得ることができる。
例えば、映画館やコンサート会場において、計測装置を複数の来場者が使用することで、盛り上がっていたシーン等を統計的に分析できる。また、展示会場において、計測装置を複数の来場者が使用することで、来場者が興味を持った展示品（展示施設）や、興味を持った時間帯を統計的に分析できる。また、遊園地において、計測装置を複数の来場客が使用することで、来場客が興奮したアトラクションや、興奮した時間帯を統計的に分析できる。また、小売店等の店舗内において、計測装置を複数の顧客が使用することで、顧客が興味を持った商品（商品棚）や、興味を持った時間帯を統計的に分析できる。また、計測装置を複数の自動車の運転者が使用することで、運転者が運転中に興奮状態にあった場所や時間帯、すなわち、事故が起きる可能性の高い場所や時間帯を統計的に分析できる。
【００１５】
本発明は、計測装置、および、前記計測装置と通信する情報機器を備える計測情報管理システムであって、前記計測装置は、記憶手段と、時刻を計時する計時部と、生体情報を計測する生体情報計測手段と、位置情報を計測する位置情報計測手段と、前記生体情報が所定の生体情報条件に該当するかを判定する生体情報判定部と、前記生体情報判定部で生体情報が前記所定の生体情報条件に該当すると判定された場合、生体情報が計測された計測時刻に対応する計測時刻情報を前記記憶手段に記憶させる記憶制御部と、前記計測時刻情報と、当該計測時刻情報に対応する前記生体情報および前記位置情報とを含む送信情報を前記情報機器に送信する送信部と、を備え、前記情報機器は、表示手段と、前記送信情報に基づいて、前記計測時刻情報および前記位置情報の少なくとも１つに関する情報を、前記表示手段に表示する表示制御部と、を備えることを特徴とする。
【００１６】
この計測情報管理システムの発明においても、上記の計測情報管理システムの発明と同じく、使用者は、興奮状態にあった時刻や場所を確認できる。
また、本発明によれば、計測装置が位置情報計測手段を備えているので、例えば、情報機器において位置情報を計測する必要がないため、情報機器における処理負荷を低減できる。これにより、情報機器において、他の処理の実行が妨げられることを回避でき、使い易さを向上できる。
さらに、使用者は、少なくとも計測装置を装着して運動すればよく、情報機器を所持しながら運動する必要がない。このため、使用者は、計測装置および情報機器の両方を所持して運動する場合に比べて、運動がし易くなる。
【００１７】
本発明は、計測装置、情報機器、サーバーを備える計測情報管理システムであって、前記計測装置は、記憶手段と、時刻を計時する計時部と、生体情報を計測する生体情報計測手段と、位置情報を計測する位置情報計測手段と、前記生体情報が所定の生体情報条件に該当するかを判定する生体情報判定部と、前記生体情報判定部で生体情報が前記所定の生体情報条件に該当すると判定された場合、生体情報が計測された計測時刻に対応する計測時刻情報を前記記憶手段に記憶させる記憶制御部と、前記計測時刻情報と、当該計測時刻情報に対応する前記生体情報および前記位置情報とを含む送信情報を前記サーバーに送信する送信部と、を備え、前記サーバーは、前記送信情報を記憶するサーバー側記憶手段と、前記情報機器の要求に基づき前記送信情報を提供する、サーバー通信部と、を備え、前記情報機器は、表示手段と、前記送信情報に基づいて、前記計測時刻情報および前記位置情報の少なくとも１つに関する情報を、前記表示手段に表示させる表示制御部と、を備えることを特徴とする。
【００１８】
本発明によれば、計測装置の送信部は、前記計測時刻情報と、当該計測時刻情報に対応する生体情報および位置情報を含む送信情報をサーバーに送信する。送信情報はサーバー側記憶手段に記憶される。サーバー通信部は、情報機器の要求に基づき前記送信情報を情報機器に提供する。情報機器の表示制御部は、前記送信情報に基づいて、計測時刻情報および位置情報の少なくとも１つに関する情報を、表示手段に表示させる。
この計測情報管理システムの発明においても、上記の計測情報管理システムの発明と同じく、使用者は、情報機器の表示手段を閲覧することで、興奮状態にあった時刻や場所を確認できる。
また、例えば、情報の閲覧権限を持つ他人が、情報機器によってサーバーにアクセスすることで、サーバー側記憶手段に記憶された計測時刻情報や位置情報を閲覧することもできる。これにより、使用者は、これらの情報を、閲覧権限を持つ他人と共有できる。
【００１９】
本発明の計測装置は、記憶手段と、時刻を計時する計時部と、生体情報を計測する生体情報計測手段と、前記生体情報が所定の生体情報条件に該当するかを判定する生体情報判定部と、前記生体情報判定部で前記生体情報が前記所定の生体情報条件に該当すると判定された場合、前記生体情報が計測された計測時刻に対応する計測時刻情報を前記記憶手段に記憶させる記憶制御部と、前記計測時刻情報と、当該計測時刻情報に対応する前記生体情報とを送信する送信部と、を備えることを特徴とする。
【００２０】
本発明によれば、送信部から送信された計測時刻情報を、例えば、情報機器の表示手段に表示することで、上記の計測情報管理システムの発明と同じく、使用者は、興奮状態にあった時刻を確認できる。
【００２１】
本発明の計測装置は、記憶手段と、時刻を計時する計時部と、生体情報を計測する生体情報計測手段と、位置情報を計測する位置情報計測手段と、を備え、前記生体情報が所定の生体情報条件に該当するかを判定する生体情報判定部と、前記生体情報判定部で生体情報が前記所定の生体情報条件に該当すると判定された場合、生体情報が計測された計測時刻に対応する計測時刻情報を前記記憶手段に記憶させる記憶制御部と、前記計測時刻情報と、当該計測時刻情報に対応する前記生体情報および前記位置情報とを送信する送信部と、を備えることを特徴とする。
【００２２】
本発明によれば、送信部から送信された計測時刻情報および位置情報を、例えば、情報機器の表示手段に表示することで、上記の計測情報管理システムの発明と同じく、使用者は、興奮状態にあった時刻や場所を確認できる。
また、計測装置が位置情報計測手段を備えているので、例えば、情報機器において位置情報を計測する必要がないため、情報機器における処理負荷を低減できる。これにより、情報機器において、他の処理の実行が妨げられることを回避でき、使い易さを向上できる。
さらに、使用者は、少なくとも計測装置を装着して運動すればよく、情報機器を所持しながら運動する必要がないため、運動がし易くなる。
【００２３】
本発明の情報機器は、情報機器側記憶手段と、表示手段と、使用者が命令を入力する操作手段と、時刻を計時する計時部と、外部から生体情報を含む情報を受信する情報受信部と、位置情報を計測する位置情報計測手段と、を備え、所定時刻を表す時刻情報と、当該時刻情報に対応する前記位置情報と、当該時刻情報に対応する前記情報受信部で受信した前記生体情報とを関連付けて前記情報機器側記憶手段に記憶し、前記操作手段から入力された前記命令に基づいて、前記情報機器側記憶手段に記憶された前記時刻情報および前記位置情報の少なくとも１つの情報を、前記表示手段に表示させることを特徴とする。
【００２４】
本発明によれば、使用者によって操作手段が操作された場合に、表示手段に時刻情報や位置情報が表示される。このため、例えば、表示手段に他の情報が表示されている場合に、使用者の意図に反して表示手段に時刻情報や位置情報が表示されることを回避できる。これにより、情報機器の使い易さを向上できる。
【００２５】
本発明の情報機器は、表示手段と、使用者が命令を入力する操作手段と、時刻を計時する計時部と、所定時刻における生体情報、位置情報を含む情報を受信する情報受信部と、を備え、前記操作手段から入力された前記命令に基づいて、所定時刻を表す時刻情報および当該時刻情報に対応する前記情報受信部で受信した前記位置情報の少なくとも１つの情報を、前記表示手段に表示させることを特徴とする。
【００２６】
本発明によれば、使用者によって操作手段が操作された場合に、表示手段に時刻情報や位置情報が表示される。このため、例えば、表示手段に他の情報が表示されている場合に、使用者の意図に反して表示手段に時刻情報や位置情報が表示されることを回避できる。これにより、情報機器の使い易さを向上できる。
また、情報受信部は、位置情報を受信しているので、例えば、情報機器において位置情報を計測する必要がないため、情報機器における処理負荷を低減できる。これにより、情報機器において、他の処理の実行が妨げられることを回避でき、使い易さを向上できる。
さらに、使用者は、少なくとも計測装置を装着して運動すればよく、情報機器を所持しながら運動する必要がないため、運動がし易くなる。
【００２７】
本発明は、記憶手段、時刻を計時する計時部、および、生体情報を計測する生体情報計測手段を備える計測装置と、計測装置と通信し、情報機器側記憶手段、表示手段、および位置情報を計測する位置情報計測手段を備える情報機器とを有する計測情報管理システムの計測情報管理方法であって、前記生体情報が所定の生体情報条件に該当するかを判定する生体情報判定ステップと、前記生体情報判定ステップで生体情報が前記所定の生体情報条件に該当すると判定された場合、生体情報が計測された計測時刻に対応する計測時刻情報を前記記憶手段に記憶させる記憶制御ステップと、前記計測時刻情報と、当該計測時刻情報に対応する前記生体情報とを前記情報機器に送信する送信ステップと、前記計測装置から送信された計測時刻情報、および、当該計測時刻情報に対応する位置情報を、前記情報機器側記憶手段に記憶させる情報機器側記憶制御ステップと、前記情報機器側記憶手段に記憶された計測時刻情報および位置情報の少なくとも１つに関する情報を、前記表示手段に表示する表示制御ステップと、を備えることを特徴とする。
【００２８】
本発明は、計測装置と通信し、情報機器側記憶手段、表示手段、および位置情報を計測する位置情報計測手段を備える情報機器に実行させる計測情報管理プログラムであって、前記計測装置が計測した生体情報が所定の生体情報条件に該当した場合の、生体情報が計測された計測時刻を示す計測時刻情報を、前記計測装置から受信する受信ステップと、前記受信ステップで受信した計測時刻情報、および、当該計測時刻情報に対応する位置情報を、前記情報機器側記憶手段に記憶させる情報機器側記憶制御ステップと、前記情報機器側記憶手段に記憶された計測時刻情報および位置情報の少なくとも１つに関する情報を、前記表示手段に表示する表示制御ステップと、を備えることを特徴とする。
【００２９】
前記計測情報管理方法および前記計測情報管理プログラムの発明においても、上記の計測情報管理システムの発明と同じく、使用者は、興奮状態にあった時刻や場所を確認できる。
【図面の簡単な説明】
【００３０】
【図１】実施形態に係る計測情報管理システムの構成を示すブロック図である。
【図２】実施形態に係る計測装置が使用者に装着された状態を示す図である。
【図３】前記計測装置の外観を示す正面図である。
【図４】前記計測装置の外観を示す背面図である。
【図５】実施形態に係る携帯情報機器の構成を示すブロック図である。
【図６】実施形態に係るイベント確認画面の一例を示す図である。
【図７】前記イベント確認画面の一例を示す図である。
【図８】サーバーの構成を示すブロック図である。
【図９】前記計測装置が実行する情報の送信処理を示すフローチャートである。
【図１０】前記携帯情報機器が実行する情報の記憶処理を示すフローチャートである。
【図１１】前記イベント確認画面の他の一例を示す図である。
【図１２】前記イベント確認画面の他の一例を示す図である。
【図１３】前記イベント確認画面の他の一例を示す図である。
【図１４】前記イベント確認画面の他の一例を示す図である。
【図１５】前記イベント確認画面の他の一例を示す図である。
【図１６】実施形態に係る情報共有の設定画面の一例を示す図である。
【図１７】前記情報共有の設定画面の一例を示す図である。
【図１８】前記情報共有の設定画面の一例を示す図である。
【発明を実施するための形態】
【００３１】
以下、本発明の実施形態を図面に基づいて説明する。
図１は、本実施形態に係る計測情報管理システム１の構成を示すブロック図である。
図１に示すように、計測情報管理システム１は、計測装置２、携帯情報機器３、ネットワーク５に接続されたサーバー４を備える。
計測装置２は、腕時計型の装置であり、図２に示すように使用者に装着されて使用され、時刻、脈拍数、加速度等を計測する。なお、計測装置２は、腕時計型に限定されず、例えば、眼鏡型、ヘッドセット型、帽子型、ヘルメット型、手袋型等であってもよく、時刻、脈拍数、加速度を計測できれば、どのようなかたちでもよい。携帯情報機器３は、例えば、携帯電話やスマートフォン（多機能携帯電話）等の持ち運び可能な携帯型の情報機器である。簡単のために、本実施形態では携帯情報機器３をスマートフォンとして説明する。なお、本実施形態では、使用者は、計測装置２の使用時、計測装置２を装着するとともに、携帯情報機器３を携帯している。
計測装置２と携帯情報機器３との間では、無線による通信が行われ、計測装置２は計測結果を携帯情報機器３に送信する。携帯情報機器３は、ネットワーク５に無線により接続され、計測装置２から受信した計測結果を、ネットワーク５を介してサーバー４に送信する。
【００３２】
［計測装置の構成］
図３は、計測装置２の外観を示す正面図である。
計測装置２は、腕時計型の外観を有する筐体２１を備え、筐体２１には、筐体２１を使用者の手首に装着させるバンド２９が設けられている。さらに、計測装置２は、筐体２１の正面に設けられた表示手段２２、筐体２１の側面に設けられたボタン２３１，２３２を備えた入力手段（操作手段）２３を備える。
その他、計測装置２は、筐体２１の内部に、図１に示すように、計測手段２４、記憶手段２５、送受信手段２６、制御手段２７を備える。
【００３３】
表示手段２２は、液晶パネル、有機ＥＬ（Electro-Luminescence）パネル、および電気泳動パネル等の表示パネルにより構成されている。この表示手段２２には、後述する制御手段２７による制御により、脈拍数等の計測結果が表示される。
入力手段２３は、ボタン２３１，２３２を備えて構成され、使用者によって押下されたボタンに応じた操作信号を、制御手段２７に出力する。
【００３４】
計測手段２４は、脈拍数センサー（生体情報計測手段）２４１、加速度センサー（運動情報計測手段）２４２を備え、各センサー２４１，２４２の計測信号を制御手段２７へ出力する。
筐体２１の裏面側には、図４に示すように、透明な窓２１１が形成され、この窓２１１の裏側（筐体２１内部側）に、脈拍数センサー２４１が配置されている。
脈拍数センサー２４１は、脈拍数（生体情報）を計測する。脈拍数センサー２４１は、例えばＬＥＤ（Light Emitting Diode）等の発光素子と、フォトダイオード等の受光素子とを備えた光電センサーにより構成されている。このような脈拍数センサー２４１では、計測装置２が手首に装着された状態で、発光素子から生体に向かって光を照射させ、生体の血管を経由して到来する光を受光素子により受光する際の光量変化を検出することで、脈波を検出する。つまり、生体に照射された光は、血管で部分的に吸収されるが、この血管での吸収率は拍動の影響で変化し、受光素子に到達する光量が変化する。そして、受光素子で検出した光量の時間変化、つまり脈波を分析することで、脈拍数を計測することが可能となる。
なお、本実施形態では、脈拍数センサー２４１として、光電センサーを用いる例を示すが、例えば、超音波により血管の収縮を検出して脈拍数を計測する超音波センサーを用いてもよく、電極から微弱電流を体内に流して脈拍数を検出するセンサーや圧電素子等を用いてもよい。
加速度センサー２４２は、計測装置２の移動にともなって変化する加速度（運動情報）を計測する。
【００３５】
記憶手段２５は、フラッシュメモリー等により構成され、計測に必要な各種プログラムや情報（使用者の生年月日、性別、身体情報等）を記憶する。その他、記憶手段２５は、計測手段２４が計測した情報等を記憶する。
【００３６】
送受信手段２６は、携帯情報機器３等の外部機器と無線通信する通信モジュールである。そして、送受信手段２６は、制御手段２７から入力される情報を、通信接続が確立された外部機器に送信する他、当該外部機器から受信した情報を制御手段２７に出力する。送受信手段２６としては、Bluetooth（登録商標）規格に準拠したモジュールを例示できる。
【００３７】
制御手段２７は、計測装置２の動作を制御するものであり、ＣＰＵ（Central Processing Unit）等の演算装置を備えて構成される。制御手段２７は、ＣＰＵが記憶手段２５に記憶されたプログラムを実行することで、計時部２７１、表示制御部２７２、記憶制御部２７３、脈拍数判定部２７４、加速度判定部２７５、送信部２７６として機能する。
【００３８】
計時部２７１は、水晶振動子が出力する発振信号（基準信号：１Ｈｚ）で現在時刻を計時する。
表示制御部２７２は、表示手段２２の動作を制御して、計測装置２の動作状態や、計測結果等を表示する。
【００３９】
脈拍数判定部（生体情報判定部）２７４は、脈拍数センサー２４１が計測した脈拍数が、所定の脈拍数条件（生体情報条件）に該当するかを判定する。具体的には、脈拍数判定部２７４は、第１判定部２７４１と、第２判定部２７４２とを備える。
第１判定部２７４１は、脈拍数が第１閾値（所定の閾値）以上かを判定する。第１閾値は、使用者の脈拍数が平常よりも高いと判定できる基準値に設定される。第１閾値は、例えば、７０回／分（７０ｂｐｍ）に設定される。
第２判定部２７４２は、脈拍数が第１閾値よりも値が高い第２閾値以上かを判定する。第２閾値は、使用者の脈拍数が平常よりも大幅に高いと判定できる基準値に設定される。第２閾値は、例えば、１００回／分（１００ｂｐｍ）に設定される。
なお、第１閾値および第２閾値は、入力手段２３を操作することや、携帯情報機器３による遠隔操作によって、自由に設定できる。また、制御手段２７が、第１閾値および第２閾値を、記憶手段２５に記憶された脈拍数の平均値に基づいて、自動的に設定することもできる。
【００４０】
加速度判定部（運動情報判定部）２７５は、加速度センサー２４２が計測した加速度が、所定の加速度条件（運動情報条件）に該当するかを判定する。所定の加速度条件は、使用者が平常な活動状態（運動状態ではない状態）にあることを判定するための条件である。
【００４１】
記憶制御部２７３は、使用者が興奮状態や、はげしい運動状態（過負荷状態）にある場合、これを判定し、脈拍数センサー２４１が計測した脈拍数と、計測が行われた計測時刻に対応する計測時刻情報と、判定結果を、記憶手段２５に記憶させる。本実施形態では、計測時刻情報は計測が行われた計測時刻（時分秒）を示す。
使用者が興奮状態にある場合には、平常な活動状態にある（運動中ではない）にもかかわらず、脈拍数が平常よりも高くなる傾向がある。このため、記憶制御部２７３は、加速度判定部２７５で加速度が所定の加速度条件に該当すると判定され、かつ、脈拍数判定部２７４で脈拍数が第１閾値以上と判定された場合、使用者が興奮状態にあると判定し、脈拍数、計測時刻情報、判定結果（興奮状態）を、記憶手段２５に記憶させる。
また、使用者がはげしい運動状態にある場合には、脈拍数が平常よりも大幅に高くなる傾向がある。このため、記憶制御部２７３は、加速度判定部２７５で加速度が所定の加速度条件に該当しないと判定され、かつ、脈拍数判定部２７４で脈拍数が第２閾値以上と判定された場合、使用者がはげしい運動状態にあると判定し、脈拍数、計測時刻情報、判定結果（はげしい運動状態）を、記憶手段２５に記憶させる。
なお、使用者が運動状態であっても、脈拍数が平常よりも大幅に高くなっていない場合（例えば、９０回／程度）は、記憶制御部２７３は、脈拍数、計測時刻情報、判定結果を記憶手段２５に記憶させない。
送信部２７６は、記憶手段２５に記憶された脈拍数、計測時刻情報、および判定結果を携帯情報機器３に送信する。なお、送信部２７６から送信される情報は、本発明における送信情報に相当する。
【００４２】
［携帯情報機器の構成］
図５は、携帯情報機器３の構成を示すブロック図である。
図５に示すように、携帯情報機器３は、表示手段３１、入力手段３２、ＧＰＳ（Global Positioning System）センサー（位置情報計測手段）３３、記憶手段（情報機器側記憶手段）３４、送受信手段３５、制御手段３６を備える。
表示手段３１は、表示パネルを備え、制御手段３６の制御により、所定の画像を表示する。
入力手段３２は、携帯情報機器３の筐体外面に設けられたボタンや、表示手段３１における画像の表示領域に応じて設けられたタッチパネル等を備える。そして、入力手段３２は、ボタンおよびタッチパネルに対する使用者の入力操作に応じた操作信号を制御手段３６に出力する。
【００４３】
ＧＰＳセンサー３３は、地球の衛星軌道上を周回する複数のＧＰＳ衛星のうち、少なくとも３機のＧＰＳ衛星からのＧＰＳ信号（衛星信号）を受信して、携帯情報機器３の現在地（換言すると、使用者の現在地）の位置情報を計測する。なお、４機以上のＧＰＳ衛星からのＧＰＳ信号を受信することで、現在地の位置情報だけでなく、現在地の高度も計測する。
【００４４】
記憶手段３４は、ＨＤＤ（Hard Disk Drive）やフラッシュメモリー等により構成され、携帯情報機器３の動作に必要な各種プログラムおよび情報を記憶する。この記憶手段３４は、例えば、計測装置２から送信された脈拍数、計測時刻情報、判定結果や、ＧＰＳセンサー３３が計測した位置情報を記憶する。
送受信手段（情報受信部）３５は、計測装置２等の外部機器やネットワーク５等と通信する通信モジュールである。この送受信手段３５は、制御手段３６の制御により、外部機器やネットワーク５等との間で情報を送受信する。
【００４５】
制御手段３６は、携帯情報機器３の動作を制御するものであり、ＣＰＵにより構成されている。この制御手段３６は、ＣＰＵが記憶手段３４に記憶された計測情報管理プログラムを実行することにより、記憶制御部（情報機器側記憶制御部）３６１、表示制御部３６２、送信部（情報機器側送信部）３６３として機能する。計測情報管理プログラムは、例えば、送受信手段３５によって外部から取得され、記憶手段３４に記憶される。
記憶制御部３６１は、計測装置２から送信され、送受信手段３５によって受信した脈拍数、計測時刻情報、判定結果と、計測時刻情報に対応するＧＰＳセンサー３３が計測した位置情報（換言すると、使用者の現在地）とを、記憶手段３４に記憶させる。計測時刻情報に対応する位置情報は、計測時刻と同じ時刻に計測された位置情報である。すなわち、記憶制御部３６１は、計測装置２から送信された脈拍数、計測時刻情報、判定結果と、脈拍数を計測した地点の位置情報とを、記憶手段３４に記憶させる。
送信部３６３は、記憶手段３４が記憶する脈拍数、計測時刻情報、判定結果、位置情報を、サーバー４に送信する。
【００４６】
表示制御部３６２は、記憶手段３４が記憶する脈拍数、計測時刻情報、判定結果、位置情報を示すイベント確認画面３７を生成し、表示手段３１に表示する。
図６は、イベント確認画面３７の一例を示す図である。
イベント確認画面３７には、計測が行われた日付３７１と、記憶手段３４に記憶されている脈拍数３７２および計測時刻情報３７３と、位置情報を示す地図情報３７４とが表示される。ここでは、計測時刻情報３７３として、時分のみが表示されているが、時分秒または時のみ表示されてもよい。
脈拍数３７２および計測時刻情報３７３は、計測が行われた日付毎にリスト形式で表示される。地図情報３７４には、地図上に、脈拍数３７２および計測時刻情報３７３と対応付けられた位置情報で示される地点が、マーカー３７５で表示される。すなわち、マーカー３７５は、イベントが発生した地点を地図上に示すイベントマーカーである。
なお、興奮状態か、はげしい運動状態かの判定結果は、例えば、脈拍数３７２、計測時刻情報３７３、マーカー３７５の色で表現される。例えば、興奮状態を示すものは寒色で表示され、はげしい運動状態を示すものは暖色で表示される。
すなわち、使用者は、イベント確認画面３７を閲覧することで、興奮状態にあった時刻、地点、そのときの脈拍数や、はげしい運動状態にあった時刻、地点、そのときの脈拍数を把握できる。
【００４７】
また、使用者が入力手段３２を操作して、リストの中から脈拍数３７２および計測時刻情報３７３のいずれかを選択すると、選択された脈拍数３７２および計測時刻情報３７３に対応するマーカー３７５Ｓは、拡大して表示される。これにより、選択された脈拍数３７２が計測された地点を地図上に分かり易く表示できる。
【００４８】
また、脈拍数３７２および計測時刻情報３７３には、コメント３７６と、感情スタンプ３７７とを表示できる。コメント３７６および感情スタンプ３７７は、使用者が入力手段３２を操作することで入力できる。
具体的には、使用者が入力手段３２を操作して、地図上に表示されている任意のマーカー３７５を選択する、もしくはリストの中から脈拍数３７２および計測時刻情報３７３のいずれかを選択すると、選択された脈拍数３７２および計測時刻情報３７３の右端に、図示しないコメント入力アイコンと感情スタンプ入力アイコンとが表示される。
そして、使用者が入力手段３２を操作して、コメント入力アイコンを選択すると、図示しないコメント入力欄が表示される。そして、使用者が入力手段３２を操作して、コメント入力欄にコメントを入力することで、コメント３７６を入力できる。
また、使用者が入力手段３２を操作して、感情スタンプ入力アイコンを選択すると、図７に示すように、複数種類の感情スタンプを含む感情スタンプ選択画像３７８が表示される。そして、使用者が入力手段３２を操作して、感情スタンプのいずれかを選択することで、感情スタンプ３７７を入力できる。
これにより、脈拍数３７２および計測時刻情報３７３に対して、コメントや計測時の感情をメモしておくことができる。
【００４９】
［サーバーの構成］
図８は、サーバー４の構成を示すブロック図である。
サーバー４は、記憶手段（サーバー側記憶手段）４１、送受信手段４２、制御手段４３を備える。
記憶手段４１は、ＨＤＤ（Hard Disk Drive）やフラッシュメモリー等により構成され、サーバー４の動作に必要な各種プログラムおよび情報を記憶する。この記憶手段４１は、例えば、携帯情報機器３から送信された脈拍数、計測時刻情報、判定結果、位置情報を記憶する。
送受信手段４２は、携帯情報機器やＰＣ（Personal Computer）等の端末機器とネットワーク５を介して通信する通信モジュールである。この送受信手段４２は、制御手段４３の制御により、端末機器との間で情報を送受信する。
【００５０】
制御手段４３は、サーバー４の動作を制御するものであり、ＣＰＵにより構成されている。この制御手段４３は、ＣＰＵが記憶手段４１に記憶されたプログラムを実行することにより、記憶制御部（サーバー側記憶制御部）４３１、画面情報生成部４３２、画面情報送信部４３３として機能する。
記憶制御部４３１は、携帯情報機器３から送信された脈拍数、計測時刻情報、判定結果、位置情報を記憶手段４１に記憶させる。
画面情報生成部４３２は、記憶手段４１が記憶する脈拍数、計測時刻情報、判定結果、位置情報を示す画面を表示するための画面情報を生成する。
画面情報送信部（サーバー通信部）４３３は、画面情報生成部４３２が生成した画面情報を、端末機器に送信する。
【００５１】
［計測装置の送信処理］
図９は、計測装置２が実行する情報の送信処理を示すフローチャートである。
制御手段２７は、計時部２７１が計時する時刻が計測タイミングかを判定する（ＳＡ１１）。計測タイミングは、例えば、１分間隔で設定されている。ＳＡ１１でＮＯと判定された場合、制御手段２７は、再度、ＳＡ１１の判定を行う。
【００５２】
ＳＡ１１でＹＥＳと判定された場合、計測手段２４は、脈拍数および加速度を計測する（ＳＡ１２）。
そして、加速度判定部２７５は、計測した加速度が、所定の加速度条件に該当するかを判定する（ＳＡ１３）。所定の加速度条件は、上述したように、使用者が平常な活動状態（運動状態ではない状態）にあると判定するための条件である。
【００５３】
ＳＡ１３でＹＥＳと判定された場合、第１判定部２７４１は、計測された脈拍数が第１閾値以上かを判定する（ＳＡ１４）。第１閾値は、上述したように、使用者の脈拍数が平常よりも高いと判定できる基準値に設定される。第１閾値は、例えば、７０回／分（７０ｂｐｍ）に設定される。ＳＡ１４でＮＯと判定された場合、制御手段２７は処理を終了する。
【００５４】
一方、ＳＡ１３でＮＯと判定された場合、第２判定部２７４２は、脈拍数が第２閾値以上かを判定する（ＳＡ１５）。第２閾値は、上述したように、使用者の脈拍数が平常よりも大幅に高いと判定できる基準値に設定される。第２閾値は、例えば、１００回／分（１００ｂｐｍ）に設定される。ＳＡ１５でＮＯと判定された場合、制御手段２７は処理を終了する。
すなわち、ＳＡ１４，ＳＡ１５は、本発明の生体情報判定ステップに相当する。
【００５５】
ＳＡ１４でＹＥＳと判定された場合、または、ＳＡ１５でＹＥＳと判定された場合、記憶制御部２７３は、計測された脈拍数、計測時刻情報、判定結果を記憶手段２５に記憶させる（ＳＡ１６）。すなわち、ＳＡ１６は、本発明の記憶制御ステップに相当する。
そして、送信部２７６は、記憶手段２５に記憶された脈拍数、計測時刻情報、判定結果を携帯情報機器３に送信する（ＳＡ１７）。すなわち、ＳＡ１７は、本発明の送信ステップに相当する。
すなわち、使用者が興奮状態にある場合には、平常な活動状態にある（運動中ではない）にもかかわらず、脈拍数が平常よりも高くなる傾向があるため、このような場合には、ＳＡ１３でＹＥＳ、ＳＡ１４でＹＥＳと判定され、送信部２７６は、脈拍数、計測時刻情報、判定結果（興奮状態）を携帯情報機器３に送信する。
また、使用者がはげしい運動状態にある場合には、脈拍数が平常よりも大幅に高くなる傾向があるため、このような場合には、ＳＡ１３でＮＯ、ＳＡ１５でＹＥＳと判定され、送信部２７６は、脈拍数、計測時刻情報、判定結果（はげしい運動状態）を携帯情報機器３に送信する。
そして、制御手段２７は、入力手段２３から出力される操作信号に基づいて、計測処理の終了操作が行われたかを判定する（ＳＡ１８）。ＳＡ１８でＮＯと判定された場合、制御手段２７は、処理をＳＡ１１に戻す。一方、ＳＡ１８でＹＥＳと判定された場合、制御手段２７は、処理を終了する。
【００５６】
［携帯情報機器の記憶処理］
図１０は、携帯情報機器３が実行する情報の記憶処理を示すフローチャートである。
制御手段３６は、計測装置２から送信された脈拍数および計測時刻情報を受信したかを判定する（ＳＡ３１）。なお、計測装置２から送信された脈拍数および計測時刻情報を受信する工程は、本発明の受信ステップに相当する。
ＳＡ３１でＮＯと判定された場合、制御手段３６は、再度、ＳＡ３１の判定を行う。
【００５７】
ＳＡ３１でＹＥＳと判定された場合、ＧＰＳセンサー３３は、ＧＰＳ信号を受信して、携帯情報機器３の現在地（換言すると、計測装置２および使用者の現在地）の位置情報を計測する（ＳＡ３２）。
そして、記憶制御部３６１は、計測装置２から送信された脈拍数、計測時刻情報、判定結果と、ＧＰＳセンサー３３が計測した位置情報とを、記憶手段３４に記憶させる（ＳＡ３３）。すなわち、ＳＡ３３は、本発明の情報機器側記憶制御ステップに相当する。
つまり、記憶制御部３６１は、計測装置２から送信された脈拍数、計測時刻情報、判定結果と、計測時刻における計測装置２の位置情報とを、記憶手段３４に記憶させる。
なお、計測装置２から脈拍数、計測時刻情報、判定結果がリアルタイムで送信されず、一定間隔毎（例えば、１時間毎）に送信される場合等には、ＧＰＳセンサー３３による位置情報の計測を定期的に行い、計測した位置情報を携帯情報機器３が備える計時部（図示せず）が計時する時刻情報と対応付けて記憶しておく。そして、計測装置２から脈拍数、計測時刻情報、判定結果を受信すると、受信した計測時刻情報に対応する位置情報を、記憶した位置情報の中から検索して取得する。そして、受信した脈拍数、計測時刻情報、判定結果と、取得した位置情報とを対応付けて記憶手段３４に記憶させる。これにより、計測時刻における計測装置２の位置情報を記憶手段３４に記憶させることができる。
【００５８】
これにより、表示制御部３６２は、入力手段３２から出力される操作信号に応じて、記憶手段３４が記憶する脈拍数、計測時刻情報、判定結果、位置情報を示すイベント確認画面３７（図６）を生成し、表示手段３１に表示できる。なお、この表示工程は、本発明の表示制御ステップに相当する。
そして、使用者は、イベント確認画面３７を閲覧することで、興奮状態にあった時刻、地点、そのときの脈拍数、および、はげしい運動状態にあった時刻、地点、そのときの脈拍数を把握できる。
【００５９】
そして、送信部３６３は、記憶手段３４が記憶する脈拍数、計測時刻情報、判定結果、位置情報を、サーバー４に送信する（ＳＡ３４）。
そして、制御手段３６は、入力手段３２から出力される操作信号に基づいて、記憶処理の終了操作が行われたかを判定する（ＳＡ３５）。ＳＡ３５でＮＯと判定された場合、制御手段３６は、処理をＳＡ３１に戻す。一方、ＳＡ３５でＹＥＳと判定された場合、制御手段３６は、処理を終了する。
【００６０】
［サーバーにおける表示処理］
送信部３６３からサーバー４に送信された脈拍数、計測時刻情報、判定結果、位置情報は、記憶制御部４３１により記憶手段４１に記憶される。
ここで、記憶手段４１に記憶された脈拍数、計測時刻情報、判定結果、位置情報は、携帯情報機器やＰＣ等の端末機器によって閲覧できる。
つまり、端末機器からサーバー４に情報の閲覧要求信号が送信されると、この閲覧要求信号に応じて、画面情報生成部４３２は、記憶手段４１に記憶された脈拍数、計測時刻情報、判定結果、位置情報を示すイベント確認画面情報を生成する。
そして、画面情報送信部４３３は、生成されたイベント確認画面情報を、閲覧要求信号の送信元の端末機器に送信する。
【００６１】
これにより、端末機器では、受信したイベント確認画面情報に基づいてイベント確認画面３８を生成して表示手段に表示する。
図１１は、端末機器であるＰＣの表示手段に表示されたイベント確認画面３８の一例を示す図である。
イベント確認画面３８には、計測が行われた日付３８１と、サーバー４の記憶手段４１に記憶されている脈拍数３８２および計測時刻情報３８３と、位置情報を示す地図情報３８５（図１２）を表示させるための地図情報表示タブ３８４とが表示される。ここでは、計測時刻情報３８３として、時分のみが表示されているが、時分秒または時のみ表示されてもよい。
脈拍数３８２および計測時刻情報３８３は、計測が行われた日付毎にリスト形式で表示される。使用者が入力手段を操作して、地図情報表示タブ３８４が選択されると、図１２に示すように、地図情報３８５が表示される。地図情報３８５には、地図上に、脈拍数３８２および計測時刻情報３８３と対応付けられた位置情報で示される地点が、マーカー３８６で表示される。
なお、興奮状態か、はげしい運動状態かの判定結果は、例えば、脈拍数３８２、計測時刻情報３８３、マーカー３８６の色で表現される。例えば、興奮状態を示すものは寒色で表示され、はげしい運動状態を示すものは暖色で表示される。
すなわち、使用者は、イベント確認画面３８を閲覧することで、興奮状態にあった時刻、地点、そのときの脈拍数、および、はげしい運動状態にあった時刻、地点、そのときの脈拍数を把握できる。
【００６２】
また、使用者が入力手段を操作して、リストの中から脈拍数３８２および計測時刻情報３８３のいずれかを選択すると、選択された脈拍数３８２および計測時刻情報３８３に対応するマーカー３８６Ｓは、拡大して表示される。これにより、選択された脈拍数３８２が計測された地点を地図上に分かり易く表示できる。
また、地図情報３８５には、スポット情報表示ボタン３８７が表示されており、使用者が入力手段を操作して、スポット情報表示ボタン３８７を選択すると、図１３に示すように、スポット情報３８８が表示される。スポット情報３８８は、例えば、興奮状態にあった人が多いエリアや、はげしい運動状態にあった人が多いエリアを示す情報である。
【００６３】
図１１に戻り、脈拍数３８２および計測時刻情報３８３には、コメント３８９と、感情スタンプ３９０とを表示できる。コメント３８９および感情スタンプ３９０は、使用者が入力手段を操作することで入力できる。
具体的には、使用者が入力手段を操作して、リストの中の脈拍数３８２および計測時刻情報３８３のいずれかを選択すると、選択された脈拍数３８２および計測時刻情報３８３の右端に、コメント入力アイコン３９１と感情スタンプ入力アイコン３９２とが表示される。
そして、使用者が入力手段を操作して、コメント入力アイコン３９１を選択すると、図１４に示すように、コメント入力欄３９４が表示される。そして、使用者が入力手段を操作して、コメント入力欄３９４にコメントを入力することで、コメント３８９を入力できる。
また、使用者が入力手段を操作して、感情スタンプ入力アイコン３９２を選択すると、図１５に示すように、複数種類の感情スタンプを含む感情スタンプ選択画像３９５が表示される。そして、使用者が入力手段を操作して、感情スタンプのいずれかを選択することで、感情スタンプ３９０を入力できる。
これにより、脈拍数３８２および計測時刻情報３８３に対して、コメントや計測時の感情をメモしておくことができる。なお、計測情報管理システム１では、イベント確認画面３８と、携帯情報機器３で表示されるイベント確認画面３７との間で、入力されたコメントや感情スタンプの同期がとられている。
【００６４】
［情報の共有］
イベント確認画面３８は、使用者の友人との間で共有できる。この際、使用者は、サーバー４に、情報を共有する相手を登録する。
具体的に、使用者は、端末機器によりサーバー４にアクセスし、図１６に示す共有者登録画面７０を表示手段に表示させる。なお、携帯情報機器３の表示手段３１にも共有者登録画面７０を表示させることができる。
共有者登録画面７０には、情報共有を許可する項目を示す共有項目欄７１と、情報共有を求めてきている他人を示す共有要求者欄７２と、既に情報共有の相手として登録している他人を示す共有登録者欄７３とが表示される。
共有項目欄７１には、イベント確認画面３８を示すアイコン７１１が表示されている。その他、共有項目欄７１には、消費カロリー、歩数、脈拍数、運動状態、睡眠状態を示すアイコンが表示されている。
共有要求者欄７２には、情報共有を求めている他人の登録名７２１と、登録画面表示ボタン７２２とが表示されている。そして、使用者が入力手段を操作して登録画面表示ボタン７２２を選択すると、図１７に示すように、登録画面７４が表示される。
登録画面７４には、登録名７４１、登録見送りボタン７４２、登録ボタン７４３が表示される。そして、使用者が入力手段を操作して登録ボタン７４３を選択すると、図１８に示すように、登録確認画面７５が表示される。登録確認画面７５には、登録名７５１、登録完了メッセージ７５２が表示される。これにより、情報共有を求めてきた他人を、情報共有の相手として登録できる。
なお、サーバー４に登録されている他人から、使用者が情報共有を求める相手を検索し、検索した相手に情報共有の登録を要求することもできる。この場合、相手が登録を許可することで、その相手を情報共有者として登録できる。
【００６５】
［実施形態の作用効果］
このような本実施形態によれば、以下のような作用効果が得られる。
使用者は、イベント確認画面３７、または、イベント確認画面３８を閲覧することで、興奮状態にあった時刻、地点を確認できる。これにより、使用者は、この時刻や場所での行動を思い起こすことで、例えば、興奮させる効果のあるものを知ることができる。この情報を参考にすることで、使用者は、例えば、そのときの気分に合わせた行動計画を立てることができる。また、興奮した場所を確認することで、楽しかった場所等を容易に思い出すことができ、これらの場所を巡るような計画を立てることもできる。
また、使用者は、イベント確認画面３７、または、イベント確認画面３８を閲覧することで、興奮状態にあったときの脈拍数も確認できる。
【００６６】
計測装置２の記憶制御部２７３は、第１判定部２７４１で脈拍数が第１閾値以上であると判定された場合、脈拍数、計測時刻情報、判定結果を記憶手段２５に記憶させる。これにより、使用者が興奮状態にあるときの脈拍数、計測時刻情報、判定結果を、複雑な処理を行うことなく記憶手段２５に記憶させることができる。このため、計測装置２の処理負荷を低減でき、消費電力も低減できる。特に、計測装置２が、小型で電池駆動するような装置の場合には、この効果を顕著に得ることができる。
【００６７】
計測装置２の記憶制御部２７３は、加速度が、所定の加速度条件に該当すると判定され（ＳＡ１３のＹＥＳ）、かつ、脈拍数が第１閾値以上となる場合（ＳＡ１４のＹＥＳ）、脈拍数および計測時刻情報を記憶手段２５に記憶させる。
ここで、運動状態と興奮状態とでは、いずれも平常時の脈拍数よりも大きな値となるため、これらの状態を脈拍数のみで判定することは難しい。しかしながら、本実施形態によれば、使用者が運動状態にある場合には、脈拍数が第１閾値以上であっても、脈拍数、計測時刻情報、判定結果は記憶手段２５に記憶されないため、使用者が運動状態にある場合に、興奮状態にあると間違って判定されて、脈拍数、計測時刻情報、判定結果が記憶手段２５に記憶されることを防止できる。すなわち、使用者が興奮状態にあった時刻を精度よく判定して携帯情報機器３に送信できる。
【００６８】
携帯情報機器３は、ＧＰＳセンサー３３を備える。これによれば、例えば、計測装置２側で位置情報を計測する必要がないため、計測装置２における処理負荷を低減でき、消費電力も低減できる。特に、計測装置２が、小型で電池駆動するような装置の場合には、この効果を顕著に得ることができる。
【００６９】
サーバー４の記憶手段４１に、脈拍数、計測時刻情報、判定結果、位置情報が記憶、蓄積される。このため、使用者は、これらの情報を、閲覧権限を持つ他人と共有できる。また、記憶手段４１に記憶された脈拍数、計測時刻情報、判定結果、位置情報を分析することで、次のような効果を得ることができる。
例えば、映画館やコンサート会場において、計測装置２を複数の来場者が使用することで、盛り上がっていたシーン等を統計的に分析できる。また、展示会場において、計測装置２を複数の来場者が使用することで、来場者が興味を持った展示品（展示施設）や、興味を持った時間帯を統計的に分析できる。また、遊園地において、計測装置２を複数の来場客が使用することで、来場客が興奮したアトラクションや、興奮した時間帯を統計的に分析できる。また、小売店等の店舗内において、計測装置２を複数の顧客が使用することで、顧客が興味を持った商品（商品棚）や、興味を持った時間帯を統計的に分析できる。また、計測装置２を複数の自動車の運転者が使用することで、運転者が運転中に興奮状態にあった場所や時間帯、すなわち、事故が起きる可能性の高い場所や時間帯を統計的に分析できる。
【００７０】
イベント確認画面３７は、入力手段３２から出力される操作信号に応じて、表示手段３１に表示される。このため、例えば、表示手段３１に他の情報が表示されている場合に、使用者の意図に反して表示手段３１にイベント確認画面３７が表示されることを回避できる。これにより、携帯情報機器３の使い易さを向上できる。
【００７１】
［他の実施形態］
なお、本発明は前記実施形態の構成に限定されず、本発明の要旨の範囲内で種々の変形実施が可能である。
例えば、前記実施形態では、計測手段２４は、生体情報として脈拍数を計測しているが、他の情報、例えば、心拍数、脈波、脳波、血圧、皮膚電気反応等を計測してもよい。また、計測手段２４は、運動情報として加速度を計測しているが、他の情報、例えば、角速度、振動等を計測してもよい。
【００７２】
前記実施形態では、計測時刻情報は、脈拍数を計測した計測時刻を示す時分秒の情報であるが、秒を省略した時分のみの情報でもよいし、分秒を省略した時のみの情報（正時）でもよい。また、時分秒の情報の場合に、秒を例えば５秒間隔や１０秒間隔、３０秒間隔などに変更して計測時刻情報としてもよいし、時分の情報の場合に、分を５分間隔等に変更して計測時刻情報としてもよい。
また、前記実施形態では、記憶制御部３６１は、計測装置２から送信された計測時刻情報で示される計測時刻と同じ時刻にＧＰＳセンサー３３で計測された位置情報を記憶手段３４に記憶させているが、同じ時刻に計測された位置情報が存在しない場合等には、計測時刻情報で示される計測時刻に最も近い時刻や計測時刻から一定時間範囲の時刻にＧＰＳセンサー３３で計測された位置情報を記憶手段３４に記憶させてもよい。
【００７３】
前記実施形態では、計測装置２において、使用者が興奮状態にあると判定された場合に、脈拍数、計測時刻情報、判定結果を、携帯情報機器３に送信しているが、使用者が快適状態（リラックス状態）にあると判定された場合に、脈拍数、計測時刻情報、判定結果を、携帯情報機器３に送信してもよい。使用者が快適状態にあるかの判定は、例えば、脈波センサーを用い、脈波センサーの計測結果から、自律神経の活性度、交感神経や副交感神経のバランス等を分析することで判定できる。具体的には、脈波の高周波成分（ＨＦ：Hi Frequency）と、低周波成分（ＬＦ：Low Frequency）との比率に基づいて、快適状態を判定できる。
【００７４】
前記実施形態では、計測装置２の現在地の位置情報を、携帯情報機器３のＧＰＳセンサー３３によって計測しているが、本発明はこれに限定されない。例えば、計測装置２にＧＰＳセンサーを設け、このＧＰＳセンサーによって計測装置２の位置情報を計測してもよい。この場合、計測された位置情報は、記憶制御部２７３によって、脈拍数、計測時刻情報、判定結果とともに、記憶手段２５に記憶される。そして、送信部２７６によって、記憶手段２５に記憶された、脈拍数、計測時刻情報、判定結果、位置情報が携帯情報機器３に送信される。なお、ＧＰＳセンサー３３は広義には位置センサーであり、ＧＬＯＮＡＳＳやＧａｌｉｌｅｏなどのＧＰＳとは異なる衛星測位システムを用いてもよい。
なお、計測装置２にＧＰＳセンサーを設ける場合は、例えば、携帯情報機器３において位置情報を計測する必要がないため、携帯情報機器３における処理負荷を低減できる。これにより、携帯情報機器３において、他の処理の実行が妨げられることを回避でき、使い易さを向上できる。さらに、使用者は、少なくとも計測装置２を装着して運動すればよく、携帯情報機器３を所持しながら運動する必要が無い。このため、使用者は、計測装置２および携帯情報機器３の両方を所持して運動する場合に比べて、運動がし易くなる。
また、携帯情報機器３が無線通信する携帯電話網の基地局や、ネットワーク５のアクセスポイントの位置情報に基づいて、計測装置２の大よその位置情報を計測してもよい。
【００７５】
前記実施形態では、計測情報管理システム１は、計測装置２、携帯情報機器３、サーバー４を備えているが、携帯情報機器３を備えていなくてもよい。この場合、計測装置２からサーバー４に、ネットワーク５を介して脈拍数、計測時刻情報、判定結果が送信される。この場合、計測装置２の現在地の位置情報は、上述したように、例えば、計測装置２にＧＰＳセンサーを設け、このＧＰＳセンサーによって計測する。また、計測装置２が無線通信するネットワーク５のアクセスポイントの位置情報に基づいて、計測装置２の大よその位置情報を計測してもよい。
【００７６】
前記実施形態では、計測装置２は加速度センサー２４２を備えているが、加速度センサー２４２はなくてもよい。例えば、計測装置２の使用が、平常の活動状態に限られて使用される場合等は、脈拍数のみに基づいて興奮状態を判定でき、加速度を計測する必要がないため、加速度センサー２４２はなくてもよい。
前記実施形態では、ＳＡ１４で脈拍数が第１閾値以上かを判定し、ＳＡ１５で脈拍数が第２閾値以上かを判定しているが、例えば、興奮状態のみを確認したい場合や、はげしい運動状態のみを確認したい場合等は、どちらか一方のみを行ってもよい。
前記実施形態では、イベント確認画面３７，３８に、脈拍数、計測時刻情報、地図情報が表示されているが、計測時刻情報または地図情報の一方のみが少なくとも表示されていればよい。
【００７７】
前記実施形態では、携帯情報機器３を用いているが、例えば、携帯情報機器３に替えて、デスクトップ型のＰＣ等、据置き型の情報機器を用いてもよい。
前記実施形態では、計測装置２と携帯情報機器３との間、および、携帯情報機器３とネットワーク５との間は、無線で接続されているが、有線で接続されていてもよい。
【符号の説明】
【００７８】
１…計測情報管理システム、２…計測装置、２２…表示手段、２３…入力手段、２４…計測手段、２４１…脈拍数センサー、２４２…加速度センサー、２５…記憶手段、２６…送受信手段、２７…制御手段、２７１…計時部、２７２…表示制御部、２７３…記憶制御部、２７４…脈拍数判定部、２７４１…第１判定部、２７４２…第２判定部、２７５…加速度判定部、２７６…送信部、３…携帯情報機器、３１…表示手段、３２…入力手段、３３…ＧＰＳセンサー、３４…記憶手段、３５…送受信手段、３６…制御手段、３６１…記憶制御部、３６２…表示制御部、３６３…送信部、４…サーバー、４１…記憶手段、４２…送受信手段、４３…制御手段、４３１…記憶制御部、４３２…画面情報生成部、４３３…画面情報送信部、５…ネットワーク。
【図１】
0005942956.tif 000002
【図２】
0005942956.tif 000003
【図３】
0005942956.tif 000004
【図４】
0005942956.tif 000005
【図５】
0005942956.tif 000006
【図８】
0005942956.tif 000007
【図９】
0005942956.tif 000008
【図１０】
0005942956.tif 000009
【図６】
0005942956.tif 000010
【図７】
0005942956.tif 000011
【図１１】
0005942956.tif 000012
【図１２】
0005942956.tif 000013
【図１３】
0005942956.tif 000014
【図１４】
0005942956.tif 000015
【図１５】
0005942956.tif 000016
【図１６】
0005942956.tif 000017
【図１７】
0005942956.tif 000018
【図１８】
0005942956.tif 000019